(57)【要約】      （修正有）【課題】製造コストの低減、小型化可能なＬＥＤ電球を提供する。【解決手段】発光部と、口金と、発光体を被覆するカバーを備えた電球において、発光部はカバー内に縦向きに装備される基板の表面と裏面の夫々にチップ型ＬＥＤが実装され、ＬＥＤは実装される基板に対して水平方向に照射する水平照射型ＬＥＤ２ｂ，２ｃと、基板に対して垂直方向に照射する垂直照射型ＬＥＤ２ａであり、それらＬＥＤを、球状のカバーの左右両側方と、前後方向と、上方を照射する向きで基板に実装した。前記基板をカバー又は／及び口金３の内側に備えられた基板支持具６で支持できるようにした。基板に実装されたＬＥＤを基板の回路配線を介して又はリード線により口金と電極４に配線した。【選択図】図１
0003151370.tif 000002
【実用新案登録請求の範囲】
【請求項１】
発光部と、口金と、発光体を被覆する球状のカバーを備えた電球において、発光部はカバー内に縦向きに装備される基板の二つの実装面の夫々にチップ型ＬＥＤが実装され、ＬＥＤは実装される基板に対して水平方向に照射する水平照射型ＬＥＤと、基板に対して垂直方向に照射する垂直照射型ＬＥＤであり、水平照射型ＬＥＤと垂直照射型ＬＥＤはカバーの左右両側方と前後方向と上方を照射する向きにして基板に実装されたことを特徴とするＬＥＤ電球。
【請求項２】
請求項１記載のＬＥＤ電球において、基板を支持できる基板支持具がカバー又は／及び口金の内側に設けられたことを特徴とするＬＥＤ電球。
【請求項３】
請求項１又は請求項２記載のＬＥＤ電球において、基板に実装されたＬＥＤが基板の回路配線を介して又はリード線により口金と電極に配線されたことを特徴とするＬＥＤ電球。
【考案の詳細な説明】
【技術分野】
【０００１】
本願考案は光源にＬＥＤを用いた電球に関し、既存の自動車の車幅灯、ライセンスランプ、パーキングランプ、ストップランプ、バックランプ、ルームランプ、ウインカーランプといった各種シングル球の代わりに使用するのに適するものである。
【背景技術】
【０００２】
自動車には前記シングル球を始め、各種のダブル球が使用されている。それら電球はいずれも寿命が短い、発熱し易い、消費電力が多いといった各種課題があるため、近年は、消費電力が少ない、寿命が長いなど種々の利点があるＬＥＤを利用した電球が開発され、各種分野で広く利用されている。しかし、ＬＥＤは照射方向に指向性があり、照射角が狭いため、一つの電球では球形バルブの側方から上方までの全方向を照明するのは難しいという問題があった。かかる問題を解決する照明具として、円柱状の取付け具の外側に複数のＬＥＤを実装したＬＥＤ電球が提案されている（特許文献１）。
【先行技術文献】
【特許文献】
【０００３】
【特許文献１】特開２００８−１０３１１２号公報
【考案の概要】
【考案が解決しようとする課題】
【０００４】
前記特許文献１記載のＬＥＤ電球は、円柱状の取付け具に複数個のＬＥＤを側方から上方までの全方位（全方向）に向けて配置することによって照射角の狭さを補って、電球のバルブの側方から上方までの全方位を照明できるようにしてあるが、使用するＬＥＤの数が多いためコスト高になる、小型電球に不向きであるといった問題点がある。
【０００５】
本願考案が解決しようとする課題は、製造コストを抑えることができ、少ないＬＥＤで側方から上方まで万遍なく、均等に照明することができ、小型のＬＥＤ電球を提供することにある。
【課題を解決するための手段】
【０００６】
本願考案のＬＥＤ電球は、発光部と、口金と、発光体を被覆するガラス球（カバー）を備えた電球において、発光部はカバー内に縦向きに装備される基板の表面と裏面の夫々にチップ型ＬＥＤが実装され、ＬＥＤは実装される基板に対して水平方向に照射する水平照射型ＬＥＤと、基板に対して垂直方向に照射する垂直照射型ＬＥＤであり、水平照射型ＬＥＤはカバーの側方に照射する向きとカバーの上方向に照射する向きにして基板に実装され、垂直照射型ＬＥＤはカバーの前後方向に照射する向きにして基板に実装されたものである。前記基板を口金又は／及びカバー内に設けた基板支持具で支持して基板を安定させることができる。基板に実装されたＬＥＤを基板の回路配線を介して又はリード線により口金と電極に配線した。
【考案の効果】
【０００７】
本願発明のＬＥＤ電球は前記構成としたので次のような効果を備える。
（１）少ないＬＥＤで、カバーの前後方と、左右両側方と、上方向（カバー球の全方位）を照明することができるので、基板及び電球の小型化、コストの低減を実現できる。
（２）基板の表面と裏面に実装する水平照射型ＬＥＤと垂直照射型ＬＥＤの数と配置を均等又は略均等にすることにより、基板の表裏両面側を均等又は略均等に照明することができる。
（３）ＬＥＤが回路配線を有する基板に実装されたので、ＬＥＤと口金及び電極との配線は基板を介して行うことができ、配線が容易であり、カバー内が簡潔になる。
【図面の簡単な説明】
【０００８】
【図１】（ａ）は本願考案のＬＥＤ電球の一実施例を示す外観図、（ｂ）はその平面図。
【図２】本願考案のＬＥＤ電球において、チップ型ＬＥＤを基板の表裏両面に縦方向に実装した例であり、（ａ）は表面斜視図、（ｂ）は裏面斜視図、（ｃ）は右側面図、（ｄ）は平面図。
【図３】本願考案のＬＥＤ電球において、チップ型ＬＥＤを基板の表裏両面に横方向に実装した例であり、（ａ）は表面斜視図、（ｂ）は裏面斜視図、（ｃ）は右側面図、（ｄ）は平面図。
【考案を実施するための形態】
【０００９】
（実施形態１）
本願考案のＬＥＤ電球の第一の実施形態を、図１を参照して説明する。図１のＬＥＤ電球は樹脂製の基板１の表面１ａにチップ型ＬＥＤが３個、裏面１ｂにチップ型ＬＥＤが２個実装され、夫々のチップ型ＬＥＤは基板１に設けられている回路配線に電気的に接続され、その回路配線を介して口金（−極）３と、電極（＋極）４に接続され、口金３の上方に設けたカバー５により基板１とそれに実装されたチップ型ＬＥＤが被覆されている。
【００１０】
前記基板１は縦長四角形の薄板であり、その表裏両面１ａ、１ｂは複数のチップ型ＬＥＤを実装可能な実装面であり、その表裏両面１ａ、１ｂには導電材で回路配線が設けられている。基板１には既存の又は新規のプリント基板を使用することができる。基板１は四角形に限らず三角形、五角形、星形、円状、細長といった所望形状とすることができる。いずれの場合も各面の夫々に少なくとも２以上のチップ型ＬＥＤを実装可能な広さ（面積）が必要である。
【００１１】
前記チップ型ＬＥＤは既存のものでも新規のものでも使用可能である。本実施形態で使用するチップ型ＬＥＤは、実装される基板１に対して垂直に発光（照射）する垂直照射型ＬＥＤ２ａ（図１（ａ）（ｂ））と、実装される基板１に対して水平方向に発光（照射）する水平照射型ＬＥＤ２ｂ、２ｃ（図１（ｃ））である。本発明では発光方向の異なるこれらチップ型ＬＥＤを基板１の表面１ａと裏面１ｂに取り付けて、それらチップ型ＬＥＤから照射される光が球状のカバー５の全方向（左右両側方：図１（ｂ）Ｙ1、Ｙ2方向、前後両方向：図１（ｂ）Ｘ1、Ｘ2方向、上方：図１（ａ）Ｚ方向）を照明できるようにしてある。
【００１２】
光がカバー５の全方向に照射されるようにするためのチップ型ＬＥＤの配列（実装）方法は各種あるが、その一例を図２（ａ）〜（ｄ）を参照して説明する。この実施形態では、基板１の一方の実装面１ａに、垂直照射型ＬＥＤ２ａが図２（ａ）（ｃ）（ｄ）のＹ1方向（カバー５の左側方）に照射する向きにして、水平照射型ＬＥＤ２ｂが図２（ａ）（ｄ）のＸ1方向（カバー５の前方）を照射する向きにして、水平照射型ＬＥＤ２ｃが図２（ａ）（ｃ）のＺ方向（カバー５の上方）に照射する向きにして夫々実装され、基板１の他方の実装面１ｂに、垂直照射型ＬＥＤ２ａが図２（ｂ）（ｃ）（ｄ）のＹ2方向（カバー５の右側方）に照射する向きにして、水平照射型ＬＥＤ２ｂが図２（ｂ）（ｄ）のＸ2方向（カバー５の後方）に照射する向きにして夫々実装されている。
【００１３】
前記チップ型ＬＥＤの前記配置はあくまでも一例であり、他の配置とすることもができる。例えば、図２（ａ）（ｃ）のＺ方向に向けた水平照射型ＬＥＤ２ｃを、一方の実装面１ａのみならず他方の実装面１ｂにも実装することができる。実装するチップ型ＬＥＤの数はＬＥＤ電球の必要発光量に応じて任意の数とすることができ、例えば、夫々のチップ型ＬＥＤの数を２倍、３倍等とすることもできる。この場合も、球状のカバー５の全方向への均等な出射を確保できる組み合わせで配列することが好ましい。
【００１４】
前記基板１は基板支持具６（図１（ａ））に支持することができる。図１に示す基板支持具６は口金３の内側に配置されており、その形状は上方開口の箱型であり、その上方開口部から差し込んだ基板を支持（固定）できるようにしてある。基板支持具６は導入線（リード線）を介して口金３、電極４（共に図１（ａ））に接続されており、これにより、基板１を基板支持具６に支持させると基板１の回路配線と前記リード線とが電気的に接続され、基板１に実装されているチップ型ＬＥＤが基板１の回路配線を介して口金３、電極４と電気的に接続されるようにしてある。基板支持具６の形状、基板支持構造等は基板１を支持できれば他の形状、構造とすることができる。基板支持具６は基板１を口金３などの他の部材に固定することができる場合には設けなくてもよい。
【００１５】
前記口金３は各種形状、規格のものを使用することができるが、規格化された既存の電球用口金を使用すると、既存のソケットに嵌合、螺合などできて便利である。
【００１６】
前記カバー５はガラス製のものであるが、アクリルなどの樹脂製とすることもできる。樹脂製とした場合はガラス製の場合に比して色付けが容易である。カバー５は各種形状、規格のものを使用することができるが、規格化された既存のカバー５を使用すると、既存のケースやレンズなどの内側に取付けることができて便利である。
【００１７】
（実施形態２）
本願考案のＬＥＤ電球の第２の実施形態を、図３を参照して説明する。この実施形態のＬＥＤ電球の構造は、基本的には実施形態１のＬＥＤ電球と同様である。異なるのは、基板１へのチップ型ＬＥＤの実装配列であり、実装面１ａ、１ｂの夫々に横方向に配列して実装してあり、配列の詳細は次の通りである。
【００１８】
一方の実装面１ａに、水平照射型ＬＥＤ２ｂが図３（ａ）（ｄ）のＸ1方向（カバー５の前方）に照射する向きに、水平照射型ＬＥＤ２ｃが図３（ａ）（ｃ）のＺ方向（カバー５の上方）に照射する向きに、垂直照射型ＬＥＤ２ａが図３（ａ）（ｃ）（ｄ）のＹ1方向（カバー５の左側方）に照射する向きにして実装され、他方の実装面１ｂには水平照射型ＬＥＤ２ｂが図３（ｂ）（ｄ）のＸ2方向（カバー５の後方）に照射する向きに、垂直照射型ＬＥＤ２ａが図３（ｂ）（ｃ）（ｄ）のＹ2方向（カバー５の右側方）に照射する向きにして実装されている。これにより、実施形態１の場合と同様にカバー５の全方向（前後、左右、上方）を照明できるＬＥＤ電球を得ることができる。
【００１９】
（その他の実施形態）
前記実施形態で示したＬＥＤ２ａ、２ｂ、２ｃの配列方法も一例であり、カバー５の全方向を照明できるＬＥＤ電球が得られる限り他の配列とすることもできる。いずれの配列の場合も、実装面１ａ、１ｂへのチップ型ＬＥＤの実装位置、実装間隔、実装向き、実装数等は任意に選択することができる。
【００２０】
（産業上の利用可能性）
本願考案に係るＬＥＤ電球は各種用途に用いることができ、例えば、自動車やバイク等の車両用灯具、通路や階段などの案内灯、懐中電灯、室内灯、街路灯、信号機、什器用照明など各種照明器具に実装して使用することができる。
【符号の説明】
【００２１】
１    基板
１ａ  表面（実装面）
１ｂ  裏面（実装面）
２ａ  垂直照射型ＬＥＤ（チップ型ＬＥＤ）
２ｂ  水平照射型ＬＥＤ（チップ型ＬＥＤ）
２ｃ  水平照射型ＬＥＤ（チップ型ＬＥＤ）
３    口金
４    電極
５    カバー
６    基板支持具
【図１】
0003151370.tif 000003
【図２】
0003151370.tif 000004
【図３】
0003151370.tif 000005